(57)【要約】  前照灯装置（１００）は、光源（１）、ベース部材（５）、配光形成部材（３）、回転部材（６）、投射レンズ（４）及び伝達機構（７００）を備える。ベース部材（５）は、光源（１）を保持する。配光形成部材（３）は、配光パターンを形成する。回転部材（６）は、配光形成部材（３）を保持し、回転可能にベース部材（５）に保持される。投射レンズ（４）は、配光パターンが形成された光を投射光として出射し、回転軸（６８）に垂直な回転軸（４２）を中心として回転可能に回転部材（６）に保持される。伝達機構（７００）は、ベース部材（５）に対する回転部材（６）の回転量を投射レンズ（４）に伝える伝達部材（７）を含み、ベース部材（５）に対する回転部材（６）の回転に伴い、投射レンズ（４）を回転させる。回転軸（４２）は、投射光の配光パターンの上下方向に対応する方向に伸びる。
2015115319.tif 000002
【特許請求の範囲】
【請求項１】
光を出射する光源と、
前記光源を保持するベース部材と、
前記光を入射して、前記光の配光パターンを形成する配光形成部材と、
前記配光形成部材を保持し、第１の回転軸を中心として回転可能に前記ベース部材に保持される回転部材と、
前記配光パターンが形成された光を入射して、投射光として出射し、前記第１の回転軸に垂直な第２の回転軸を中心として回転可能に前記回転部材に保持される投射レンズと、
前記ベース部材に対する前記回転部材の前記第１の回転軸を中心とした回転量を前記投射レンズに伝える伝達部材を含み、前記ベース部材に対する前記回転部材の回転に伴い、前記第２の回転軸を中心に前記投射レンズを回転させる伝達機構と
を備え、
前記第２の回転軸は、前記投射光の配光パターンの上下方向に対応する方向に伸びる前照灯装置。
【請求項２】
前記回転部材は、前記ベース部材の姿勢の傾きにより、前記投射光の配光パターンの傾く方向と反対の方向に前記投射光の配光パターンを回転させるように前記第１の回転軸を中心として回転し、
前記投射レンズは、前記投射光の配光パターンの左右方向であって、前記投射光の配光パターンの傾く方向を向くように回転する請求項１に記載の前照灯装置。
【請求項３】
前記伝達機構は、カムを含み、
前記回転部材の前記第１の回転軸を中心とした回転により、前記伝達部材とカムとの接続位置が変更されることで、前記投射レンズが前記第２の回転軸を中心として回転する請求項１又は２に記載の前照灯装置。
【請求項４】
前記伝達部材は、前記回転部材に保持されて、
前記ベース部材に形成された前記カムにより、前記伝達部材が前記第１の回転軸の方向に移動する請求項３に記載の前照灯装置。
【請求項５】
前記伝達部材は前記ベース部材に保持されて、
前記カムは前記投射レンズに形成された請求項３に記載の前照灯装置。
【請求項６】
前記伝達部材は、シャフトである請求項１から５のいずれか１項に記載の前照灯装置。
【請求項７】
前記配光形成部材は、導光部材である請求項１から６のいずれか１項に記載の前照灯装置。
【請求項８】
前記配光形成部材は、反射部材である請求項１から６のいずれか１項に記載の前照灯装置。
【請求項９】
前記配光形成部材は、遮光部材である請求項１から６のいずれか１項に記載の前照灯装置。
【発明の詳細な説明】
【技術分野】
【０００１】
本発明は、旋回時などに自動二輪車等が車体を傾ける状態において、運転者に適切な配光を提供する前照灯装置に関する。
【背景技術】
【０００２】
自動二輪車の前照灯は車体に直接取り付けられている。このため、旋回時などに自動二輪車がバンクするような状態においては、その前照灯の照射領域も同様に傾く。「旋回」とは、曲線を描いて向きを変えることである。例えば、自動二輪車又は四輪自動車などでは、カーブを曲がることである。「バンク」とは、カーブを曲がる際に、車体を内側に傾けることである。そのため、自動二輪車の旋回時における視界の広さ及び視認性は直進時よりも低くなる。【０００３】
近年では、車体のバンクに応じて前照灯の配光を変化させる配光可変型の前照灯等がある。「配光」とは、光源の空間に対する光度分布をいう。つまり、光源から出る光の空間的分布である。【０００４】
また、旋回時では、車体のバンク側に円を描くように車体が進行するため、運転者の視線はバンクするコーナーの内側の遠方を向く。「バンク側」とは、車体が傾く方向である。前照灯の配光は、車体の傾きに伴う前照灯の傾きの補正に加え、車体の進行方向を補正する必要がある。【０００５】
特許文献１に記載された配光可変型の前照灯は、自動二輪車の旋回時等において、車体の傾きに対する補正と進行方向の変化に対する補正との両方を実現している。この特許文献１では、車体の傾きに対する補正としてリフレクタを前後軸（Ｘ軸）回りに回転させている。また、進行方向の変化に対する補正としてリフレクタを上下軸（Ｚ軸）回りに回転させている。つまり、特許文献１は、配光を補正するために、ライトユニット全体を回転させている。
【先行技術文献】
【特許文献】
【０００６】
【特許文献１】特開２００８−２０７７７０
【発明の概要】
【発明が解決しようとする課題】
【０００７】
しかし、特許文献１では、ライトユニット全体を駆動して配光を補正している。このため、ライトユニットが移動できるだけの空間が必要となる。そして、結果的に前照灯全体が大きくなる。また、ライトユニット全体を動かすための駆動力は大きくなる。そして、結果的に駆動装置が大きくなる。【０００８】
本発明は、この課題を解決するためになされたものであり、車体の傾きに対する配光の補正と車体の進行方向の変化に対する配光の補正とを、小型で簡単な構造で実現するものである。
【課題を解決するための手段】
【０００９】
本発明に係る前照灯装置は、光を出射する光源と、前記光源を保持するベース部材と、前記光を入射して、前記光の配光パターンを形成する配光形成部材と、前記配光形成部材を保持し、第１の回転軸を中心として回転可能に前記ベース部材に保持される回転部材と、前記配光パターンが形成された光を入射して、投射光として出射し、前記第１の回転軸に垂直な第２の回転軸を中心として回転可能に前記回転部材に保持される投射レンズと、前記ベース部材に対する前記回転部材の前記第１の回転軸を中心とした回転量を前記投射レンズに伝える伝達部材を含み、前記ベース部材に対する前記回転部材の回転に伴い、前記第２の回転軸を中心に前記投射レンズを回転させる伝達機構とを備え、前記第２の回転軸は、前記投射光の配光パターンの上下方向に対応する方向に伸びる。
【発明の効果】
【００１０】
投射光の配光を変更できる前照灯ユニットを小型化できる。
【図面の簡単な説明】
【００１１】
【図１】実施の形態１に係る前照灯装置１００の前面分解斜視図である。
【図２】実施の形態１に係る前照灯装置１００の背面分解斜視図である。
【図３】実施の形態１に係る前照灯装置１００を組み立てた状態の前面斜視図である。
【図４】実施の形態１に係る前照灯装置１００の側面断面図である。
【図５】実施の形態１に係る前照灯装置１００の回転部材６の回転動作及び投射レンズ４の動作を説明するための模式図である。
【図６】実施の形態１に係る前照灯装置１００の回転部材６の回転動作及び投射レンズ４の動作を説明するための模式図である。
【図７】実施の形態１に係る前照灯装置１００の回転部材６の回転動作及び投射レンズ４の動作を説明するための模式図である。
【図８】実施の形態１に係る前照灯装置１０１の前面分解斜視図である。
【図９】実施の形態１に係る前照灯装置１０２の前面分解斜視図である。
【図１０】実施の形態１に係る前照灯装置１０３の前面分解斜視図である。
【図１１】実施の形態１に係る前照灯装置１０３の背面分解斜視図である。
【図１２】実施の形態１に係る前照灯装置１０４の前面分解斜視図である。
【図１３】実施の形態２に係る前照灯装置１０５の前面分解斜視図である。
【図１４】実施の形態２の変形例に係る前照灯装置１０６の前面分解斜視図である。
【図１５】道路５００に対する前照灯装置の配光パターン５０１を示した説明図である。
【図１６】道路５００に対する前照灯装置の配光パターン５０１を示した説明図である。
【図１７】傾斜角ｄについて説明する模式図である。
【図１８】道路５００に対する前照灯装置の配光パターン５０１を示した説明図である。
【図１９】道路５００に対する前照灯装置の配光パターン５０１を示した説明図である。
【発明を実施するための形態】
【００１２】
実施の形態１．
【００１３】
以下の説明において、説明を容易にするため、各図中にＸＹＺ直交座標軸を示す。前照灯装置１００の前方を＋Ｚ軸方向とし、後方を−Ｚ軸方向とする。ここで、「前方」とは、車両の進行方向をいう。つまり、「前方」とは、前照灯装置が光を照射する方向である。前方を向いて前照灯装置１００の左側を＋Ｘ軸方向とし、右側を−Ｘ軸方向とする。前照灯装置１００の上方向（空の方向）を＋Ｙ軸方向とし、前照灯装置１００の下方向（地面の方向）を−Ｙ軸方向とする。前方を向いて、Ｚ軸を中心軸として、時計回りを＋ＲＺ方向とし、反時計回りを−ＲＺ方向とする。また、前照灯装置１００を右側（−Ｘ軸方向）から左側（＋Ｘ軸方向）を見て、Ｘ軸を中心軸として、時計回りを＋ＲＸ方向とし、反時計回りを−ＲＸ方向とする。また、前照灯装置１００を下側（−Ｙ軸方向）から上側（＋Ｙ軸方向）を見て、Ｙ軸を中心軸として、時計回りを＋ＲＹ方向とし、反時計回りを−ＲＹ方向とする。
＜車両の走行状態と配光パターン＞
まず、車両の走行状態と配光パターンについて説明する。
【００１４】
「配光パターン」とは、光源から放射される光の方向に起因する光束の形状及び光の強度分布を示している。また、「配光パターン」は、車両の前方に設定された仮想の面（照射面）上での照度パターンの意味としても使用する。照射面は、Ｘ−Ｙ平面に平行な面である。照射面の位置は、前照灯装置の光度又は照度を計測する位置で、道路交通規則等で規定されている。
【００１５】
「光度」とは、発光体の放つ光の強さの程度を示すもので、ある方向の微小な立体角内を通る光束を，その微小立体角で割ったものである。また、「照度」とは、平面状の物体に照射された光の明るさを表す物理量のことである。単位面積あたりに照射された光束に等しい。
【００１６】
車両用の前照灯装置から照射される配光パターンは、道路交通規則等によって定められている。例えば、自動車用ロービームに関する所定の配光パターンは、上下方向が狭い横長の形状である。ここで、「所定」とは、道路交通規則等によって定められていることである。
【００１７】
また、対向車を眩惑させないために、配光パターンの上側の光の境界線（カットオフライン）は明瞭であることを要求される。つまり、カットオフラインの上側（配光パターンの外側）が暗く、カットオフラインの下側（配光パターンの内側）が明るい明瞭なカットオフラインを要求される。
【００１８】
ここで、「カットオフライン」とは、車両用の前照灯装置の光を壁又はスクリーン等に照射した場合にできる光の明部と暗部との区切り線のことで、配光パターンの上側の区切り線のことである。つまり、配光パターンの上側の光の明部と暗部との境界線のことである。
【００１９】
カットオフラインは、すれ違い用前照灯の照射方向を調節する際に用いられる用語である。すれ違い用の前照灯は、ロービームとも呼ばれる。また、「明瞭なカットオフライン」とは、カットオフラインに大きな色収差又はぼやけ等が生じてはならないことを意味している。
【００２０】
また、配光パターンは、歩行者の識別及び標識の識別等のために、歩道側の照射を立ち上げる「立ち上がりライン」を有さなければならない。また、カットオフラインの下側（配光パターンの内側）の領域が最大照度となるように要求される。ここで、「照射を立ち上げる立ち上がりライン」とは、ロービームの対向車側は水平で、歩道側は斜めに立ち上がった配光パターンの形状を示している。これは、対向車を幻惑せず、歩道側の人又は標識等を視認するためである。
【００２１】
なお、「ロービーム」とは、下向きのビームで、対向車とのすれ違いの際などに使用される。通常、ロービームでは、例えば、前方４０ｍ程度を照らす。また、「上下方向」とは、地面に対して垂直の方向である。車両用の前照灯装置は、これらの複雑な配光パターンを実現する必要がある。
【００２２】
説明を簡単にするため、ここでは、配光パターンの形状は、上下方向が狭い横長の形状であり、配光パターンの上側が線Ｈ−Ｈに平行な直線形状であるものとして説明する。なお、線Ｈ−Ｈは車体の位置での水平な線を表している。
【００２３】
自動二輪車の前照灯装置は、車体に直接設置されている。このため、自動二輪車が旋回して傾斜する場合には、前照灯装置は、自動二輪車と同様に傾く。また、前照灯装置の配光パターンも、自動二輪車と同様に傾く。図１５、図１６、図１８及び図１９は、道路５００に対する前照灯装置の配光パターン５０１を示した説明図である。
【００２４】
配光パターン５０１は、前照灯装置１００が光を照射する照射領域である。線Ｖ−Ｖは車体の位置での鉛直な線を表している。線Ｈ−Ｈは車体の位置での水平な線を表している。説明を簡単にするために、道路５００の路面は水平面で、傾斜していないものとする。「鉛直」とは、重力の方向である。
【００２５】
ここで、「水平面」とは、路面に平行な面である。つまり、Ｚ−Ｘ平面は、路面に平行な面としている。これは、通常考える場合には、路面は「水平面」であるからである。このため、Ｚ−Ｘ平面は、「水平面」として考えている。「水平面」とは、重力の方向に直角な平面である。
【００２６】
しかし、路面は、車両の走行方向に対して傾くことがある。つまり、登り坂又は下り坂などである。これらの場合には、「水平面」は、路面に平行な面として考える。「水平面」は、車両の走行方向に向かって傾斜している。つまり、重力の方向に対して垂直な平面ではない。
【００２７】
一方、一般的な路面が車両の走行方向に対して左右方向に傾いていることは稀である。「左右方向」とは、走路の幅方向である。左右方向においては、「水平面」は、重力方向に対して直角な面として考える。
【００２８】
例えば、路面が左右方向に傾き、車両が路面に対して左右方向に垂直にあったとしても、車両が左右方向の「水平面」に対して傾いた状態と同等となる。つまり、路面が左右方向に傾き、車両が路面の左右方向に対して垂直であったとしても、車両が「水平面」に対して左右方向に傾いた状態と同等として考える。
【００２９】
なお、以下の説明を簡単にするために、「水平面」は、重力方向に垂直は平面として説明する。つまり、Ｚ−Ｘ平面は、重力方向に垂直は平面として説明する。
【００３０】
また、道路５００は、２本の線で道路の端５０４を示している。線Ｖ−Ｖの右側には、センターライン５０２がある。車両は、左側の車線を走行しているので、センターライン５０２は線Ｖ−Ｖの右側に位置している。配光パターン５０１を示す以下の図では、図１５と同様に、車両は左側通行をしている場合を示している。
【００３１】
なお、上述のように、説明を簡単にするために、他の実施の形態を含む以下の説明では、路面は傾斜していないものとして説明する。
【００３２】
図１５は、車両が直進道路の左車線側で車体を傾斜させずに走行している状況での配光パターン５０１の例を示す図である。図１６は、車両が左側にカーブした道路の左車線側で車体を左側に角度ｄ度だけ傾斜させて走行している状況での配光パターン５０１の例を示す図である。
【００３３】
配光パターン５０１は、上下方向が狭い横長の形状をしている。また、図１５では、配光パターン５０１の上側は、線Ｈ−Ｈに平行な直線形状をしている。
【００３４】
図１５に示す配光パターン５０１は、水平方向に長く、所望の領域を照らしている。「所望の領域」とは、運転者が運転に必要な領域である。つまり、前照灯装置は、運転者が運転に必要な領域を照明している。
【００３５】
しかし、図１６に示す配光パターン５０１は、右側が上がり、左側が下がるような状態で前方を照らしている。図１６に示すような状態は、例えば、車両が左旋回して走行する場合である。このとき運転者の視線は、進行方向の左前方のコーナー領域５０３に向けられる。
【００３６】
図１６中で、コーナー領域５０３は、破線で示されている。図１６では、コーナー領域５０３は、線Ｖ−Ｖの左側に位置している。そして、コーナー領域５０３の上側は、線Ｈ−Ｈに接するように示されている。
【００３７】
一般的な前照灯装置を備える自動二輪車が旋回して走行する際には、図１６に示すように、運転者が見たいコーナー領域５０３が照らされない。一方、配光パターン５０１が右上がりとなることから、前照灯装置は、進行方向の反対側（右側）の車線の高い（上側）位置を照射する。このため対向車に対して眩光を与えてしまう可能性がある。
【００３８】
図１７は、車体の傾斜角ｄについて説明する模式図である。図１７は、自動二輪車９５の車体が傾いた状態を自動二輪車９５の前方から見た模式図である。図１７では、自動二輪車９５は、進行方向に対して右側（＋Ｘ軸側）に傾斜角度ｄだけ傾いている。
【００３９】
自動二輪車９５は、傾斜する際には、車輪９６が道路５００の路面に接する位置９６ａを中心として回転している。車体の傾き角は、傾斜角ｄである。つまり、自動二輪車９５は車輪９６の地面に接する位置９６ａを回転中心として、左方向又は右方向に回転する。
【００４０】
図１７では、自動二輪車９５は車輪９６の地面に接する位置９６ａを回転中心として、＋Ｚ軸方向から見て反時計回りに角度ｄだけ回転している。前照灯装置１００は、自動二輪車９５のハンドル付近に取り付けられている。この場合に、前照灯装置１００も傾斜角度ｄだけ傾斜していることが分かる。
【００４１】
なお、自動二輪車の線Ｖ−Ｖに対する車体の傾斜角ｄをバンク角ともという。また、車体が傾斜する方向をバンク方向ともいう。
【００４２】
図１８は、前照灯装置１００が傾いた配光パターン５０１を水平に戻した様子を示す図である。配光を可変する機能を備える前照灯装置１００では、図１８に示すように、車両が旋回して走行する際の配光パターン５０１の傾きを水平に戻すことができる。
【００４３】
そして、水平に戻された配光パターン５０１は、運転者が見たいコーナー領域５０３を照らすことができる。つまり、配光パターン５０１の範囲内に、コーナー領域５０３が含まれる。図１８では、コーナー領域５０３の大部分が配光パターン５０１の範囲内に含まれている。
【００４４】
図１９は、前照灯装置１００が配光パターン５０１を水平に移動させた様子を示す図である。図１８で示すように、配光パターン５０１を水平に戻しただけでは、コーナー領域５０３は、配光パターン５０１の周辺部で照射される。図１８では、前照灯装置１００は、配光パターン５０１の左側の領域でコーナー領域５０３を照明している。
【００４５】
一般的な配光パターン５０１は、その中央の領域が明るい。そのため、配光パターン５０１を水平に戻しただけでは、コーナー領域５０３は、配光パターン５０１の暗い部分で照射される。
【００４６】
前照灯装置１００は、車体の傾斜を補正することに加え、図１９に示すように、配光パターン５０１を水平方向に移動させることができる。図１９では、図１８に比べて、配光パターン５０１は左側に移動している。図１９中の左側は、コーナー領域５０３のある方向である。
【００４７】
配光パターン５０１を水平方向に移動させることで、より明るい視界を運転者に提供できる。以下において、「明るい領域」を高照度領域とよぶ。
【００４８】
なお、一般的な自動二輪車において、前照灯装置は車体に取り付けられる場合と、ハンドルに取り付けられる場合とがある。前照灯装置が車体に取り付けられた場合には、前照灯装置が主に照らす領域は、車体の正面である。一方、前照灯装置がハンドルに取り付けられた場合には、前照灯装置が主に照らす領域は、ハンドルを切った方向である。つまり、前照灯装置が主に照らす領域は、旋回側に移動する。本発明の前照灯装置１００は、どちらの場合においても有効に機能する。
【００４９】
本発明は、図１９に示すような、車体の傾斜を補正するとともに、高照度領域を車体の傾斜側に移動できる前照灯装置１００に係るものであり、これを実現するための構造に関するものである。
【００５０】
＜前照灯装置１００の構成＞
次に、前照灯装置１００の構成について説明する。
【００５１】
図１は、実施の形態１に係る前照灯装置１００の前面分解斜視図である。図２は、前照灯装置１００の背面分解斜視図である。図３は前照灯装置１００を組み立てた状態の前面斜視図である。図４は前照灯装置１００の側面断面図である。
【００５２】
前照灯装置１００は、光源１、導光部材３、投射レンズ４、ベース部材５、回転部材６及びスライドシャフト７を備える。前照灯装置１００は、集光レンズ２、駆動源８又は放熱器１０を備えることができる。
【００５３】
導光部材３は、配光形成部材の一例である。配光形成部材は、光源１から出射された光を、上述の配光パターン５０１に変換する光学部材である。
【００５４】
また、スライドシャフト７は、スライド部材の一例である。スライド部材は、配光パターン形成部材と投射レンズ４との動作を連携させる部材である。また、スライドシャフト７は、伝達部材の一例である。伝達部材は、ベース部材５に対する回転部材６の回転軸６８まわりの回転量を投射レンズ４に伝える部材である。また、スライドシャフト７及び傾斜面５１は、伝達機構７００の一例である。
【００５５】
光源１は、投射光となる光を出射する。投射光は、車両の前方を照らす光である。
【００５６】
光源１は、例えば、発光ダイオード（以下、ＬＥＤとよぶ。）、エレクトロルミネッセンス素子又はレーザーダイオード等を用いることができる。以下の説明では、光源１が発光ダイオードであるとして説明する。
【００５７】
光源１は、光源１が発する熱を外部へ逃がすための放熱器１０を備えている。図１では、放熱器１０は、３枚の放熱フィンを有している。図１では、放熱器１０は、３枚の放熱フィンを有した形状としているが、放熱フィンの形状又は構造はこれに限られない。また、放熱器１０は、光源１の−Ｚ軸側に取り付けられている。
【００５８】
光源１は、ベース部材５に直接固定されることができる。または、光源１は、放熱器１０を介してベース部材５に固定されることができる。図１では、光源１は、放熱器１０を介してベース部材５に固定されている。
【００５９】
集光レンズ２は、光源１から出射された光（投射光）を集光するレンズである。集光レンズ２は、光源１から出射された光のうち、出射角の小さい光線を集光レンズ２の光軸付近の屈折部２１で屈折して集光する。集光レンズ２は、光源１から出射された光のうち、出射角の大きい光線を集光レンズ２の周辺付近の反射部２２で反射して集光する。図４において、屈折部２１及び反射部２２を破線で囲んで示している。
【００６０】
それぞれの光線は、集光レンズ２の前方（＋Ｚ軸方向）の任意の位置に集光される。集光レンズ２は、例えば、ベース部材５に固定されている。
【００６１】
なお、集光レンズ２は、上述の構成に限るものではない。しかし、大きな発散角を有するＬＥＤ光源を用いる場合には、上述の構成を有する集光レンズを用いることで、小型で効率良く光を集光することができる。
【００６２】
導光部材３は、配光パターン５０１を形成する。つまり、導光部材３は、入射した光を配光パターン５０１の形状に変換する。つまり、導光部材３は、光源１から発せられた光の配光パターンを形成する配光形成部材である。
【００６３】
導光部材３は、例えば、柱体形状をしている。「柱体」とは、二つの平面図形を底面として持つ筒状の空間図形のことである。柱体の底面以外の面を側面とよぶ。導光部材３は、例えば、底面が矩形形状の柱体形状である。
【００６４】
集光レンズ２から出射された光は、導光部材３の入射面から入射する。入射面及び出射面は、柱体形状の底面に相当する面に形成されている。図１では、入射面及び出射面は、Ｘ−Ｙ平面に平行な面である。導光部材３の入射面および出射面は、Ｘ−Ｙ平面に平行な面としたが、導光部材３の形状はこれに限られない。例えば、入射面又は出射面は、曲面形状であっても構わない。
【００６５】
入射された光は、反射面で反射されて出射面から出射する。反射面は、柱体形状の側面に相当する面に形成されている。つまり、入射された光は、側面に形成された反射面で反射されて出射面から出射する。図１では、反射面は、Ｚ−Ｘ平面又はＹ−Ｚ平面に平行な面である。
【００６６】
導光部材３は、回転部材６に固定されている。また、回転部材６がＺ軸まわりに回転する場合には、導光部材３も、回転部材６の回転軸６８まわりに回転する。
【００６７】
投射レンズ４は、光源１から放射された光を透過して前方（＋Ｚ軸方向）に投射する。
【００６８】
投射レンズ４は、導光部材３で形成された配光パターンを、拡大して前方（＋Ｚ軸方向）に投射する。
【００６９】
投射レンズ４は、導光部材３の＋Ｚ軸方向側に配置されている。
【００７０】
投射レンズ４は、回転部材６に備えられている。投射レンズ４は、導光部材３の前方側（＋Ｚ軸方向）配置されている。
【００７１】
投射レンズ４は、回転ピン４０ａ，４０ｂを有している。ベース部材５に対して回転部材６が基準位置の場合には、回転ピン４０ａ，４０ｂは、Ｙ軸に平行な軸である。回転部材６の基準位置は、車両が直進している際の、ベース部材５に対する回転部材６の位置である。つまり、回転ピン４０ａおよび回転ピン４０ｂは、同軸で、Ｙ軸に平行な軸である。回転ピン４０ａ，４０ｂは、Ｙ軸に平行な回転軸４２を形成している。
【００７２】
回転ピン４０ａは、投射レンズ４の＋Ｙ軸方向側の面に形成されている。回転ピン４０ａは、投射レンズ４のＸ軸方向の中心位置に配置されている。回転ピン４０ａは、＋Ｙ軸側に伸びている。
【００７３】
回転ピン４０ｂは、投射レンズ４の−Ｙ軸方向側の面に形成されている。回転ピン４０ｂは、投射レンズ４のＸ軸方向の中心位置に配置されている。回転ピン４０ｂは、−Ｙ軸側に伸びている。
【００７４】
回転ピン４０ａは、回転部材６に設けられた回転穴６０ａに挿入される。回転ピン４０ｂは、回転部材６に設けられた回転穴６０ｂに挿入される。回転穴６０ａ，６０ｂは、回転部材６が基準位置の場合には、Ｙ軸に平行な穴である。
【００７５】
回転部材６は、投射レンズ４を、回転軸４２まわりに回転可能に保持している。また、回転部材６が回転軸６８まわりに回転する場合には、投射レンズ４及び回転軸４２も回転部材６の回転軸６８まわりに回転する。実施の形態１では、回転軸６８は、Ｚ軸に平行な軸である。
【００７６】
投射レンズ４は、接触面４１を有している。接触面４１は、図１では、投射レンズ４の−Ｘ軸方向の端部に形成されている。また、接触面４１は、投射レンズ４のＹ軸方向の中央部に形成されている。また、接触面４１は、投射レンズ４の−Ｚ軸方向の面に形成されている。
【００７７】
接触面４１は、−Ｚ軸方向に開いた凹形状をしている。接触面４１の凹形状の部分には、スライドシャフト７の＋Ｚ軸方向側の先端部が接するように挿入される。スライドシャフト７の＋Ｚ軸方向側の先端部は、接触子７１である。
【００７８】
なお、投射レンズ４も、入射面又は出射面の形状を変更することで、配光パターン５０１を形成することができる。
【００７９】
ベース部材５は、光源１及び集光レンズ２を保持している。また、ベース部材５は、回転部材６を回転可能に保持している。
【００８０】
ベース部材５は、板形状の部分５ａ及び円筒形状の部分５ｂを備えている。
【００８１】
板形状の部分５ａの−Ｚ軸方向の面には、光源１及び放熱器１０が取り付けられている。板形状の部分５ａは、Ｚ軸方向に開いた穴５４ａを有している。穴５４ａは、板形状の部分５ａを貫通する穴である。この穴５４の中には集光レンズ２が収められている。板形状の部分５ａの＋Ｚ軸方向の面には、円筒形状の部分５ｂが形成されている。
【００８２】
円筒形状の部分５ｂは、中空の筒形状をしている。筒形状の軸は、Ｚ軸に平行である。穴５４ａの＋Ｚ軸方向側の端部は、円筒形状の部分５ｂの中空部分５４ｂに位置している。円筒形状の部分５ｂの内側の面には、受け面５０が形成されている。円筒形状の部分５ｂの中空部分５４ｂには、回転部材６に保持された導光部材３が収められている。中空部分５４ｂは、受け面５０の内側の空間の部分である。
【００８３】
円筒形状の部分５ｂの＋Ｚ軸方向の面の一部には、傾斜面５１が形成されている。傾斜面５１は、Ｚ軸まわりのらせん形状を有している。例えば、傾斜面５１は、ベース部材５の＋Ｚ軸側に面した面である。図１では、傾斜面５１は、ベース部材５の−Ｘ軸側に形成されている。
【００８４】
らせん形状は、回転しながら回転面に垂直成分のある方向へ上昇する曲線の形状である。例えは、コイルばねのような形状である。
【００８５】
傾斜面５１は、＋ＲＺ方向にいく程、＋Ｚ方向に位置している。傾斜面５１は、＋ＲＺまわりに回転しながら＋Ｚ軸方向に位置が移動するらせん形状である。
【００８６】
傾斜面５１には、スライドシャフト７の接触子７０が接している。接触子７０は、スライドシャフト７の−Ｚ軸方向側の先端部である。
【００８７】
回転部材６は、ベース部材５に回転可能に保持されている。また、回転部材６は、導光部材３を保持している。また、回転部材６は、投射レンズ４を回転可能に保持している。
【００８８】
回転部材６は、全体として円筒形状をしている。光源１から放射された光は、回転部材６の円筒形状の内部を軸方向に進行する。回転部材６の円筒形状の軸は、Ｚ軸に平行である。
【００８９】
回転部材６は、回転面６１を有している。回転面６１は、回転部材６の円筒形状の外側の側面に形成されている。回転面６１は、回転部材６の−Ｚ軸方向側に形成されている。
【００９０】
回転面６１は、ベース部材５に設けられた受け面５０に挿入される。回転面６１は、Ｚ軸に平行な軸を持つ円筒形状である。また、受け面５０は、Ｚ軸に平行な軸を持つ円筒形状である。つまり、回転面６１および受け面５０の中心軸の方向は、Ｚ軸方向に一致する。
【００９１】
回転面６１（回転部材６の円筒形状の側面）は、受け面５０の円筒形状の側面に接するように挿入される。ベース部材５は、回転部材６を、軸まわりに回転可能に保持している。ここで、「軸」とは、円筒形状の受け面５０の軸である。なお、回転部材６がベース部材５に取り付けられると、受け面５０の軸は、円筒形状の回転面６１の軸と一致する。また、円筒形状の回転面６１の軸は、回転部材６の回転軸６８と同一である。
【００９２】
また、回転部材６がベース部材５に対してＺ軸方向へ並進しないように、回転部材６とベース部材５とに抜け留め（図示せず）が設けられている。「並進」とは、剛体などにおいて、それを構成する各点が同一方向に平行移動することである。
【００９３】
ベース部材５が回転部材６を回転可能に保持する手段として、転がり軸受又はローラー等を用いることもできる。「ローラー」とは、例えば、Ｚ軸に平行な回転軸を持つローラーである。ローラーは、受け面５０の代わり、ベース部材５の板形状の部分５ａの＋Ｚ軸方向の面に備えられる。
【００９４】
ローラーは、例えば、正三角形形状に配置される。３つのローラーの内側に回転面６１が接するように回転部材６が配置される。３つのローラーにより、回転部材６のＸ−Ｙ平面上での位置は確定される。そして、３つのローラーが各々の回転軸を中心に回転するため、回転部材６はＺ軸に平行な軸（回転軸６８）を中心として回転できる。ローラーを用いることで、簡易な構成で、回転部材６を回転させることができる。
【００９５】
回転部材６は、回転穴６０ａ，６０ｂを有している。回転穴６０ａ，６０ｂは、回転部材６の側面に形成されている。図１では、回転穴６０ａ，６０ｂは、回転部材６の＋Ｚ軸方向側に形成されている。
【００９６】
上述のように、回転部材６がベース部材５に対して基準位置の場合には、回転穴６０ａ，６０ｂは、Ｙ軸に平行な穴である。回転穴６０ａは、回転部材６の＋Ｙ軸側に形成されている。回転穴６０ｂは、回転部材６の−Ｙ軸側に形成されている。
【００９７】
回転穴６０ａと回転穴６０ｂとで形成される軸は、回転軸６８に対して垂直である。つまり、回転穴６０ａと回転穴６０ｂとで形成される軸は、回転軸６８に直交している。
【００９８】
回転部材６は、ラック６３を有している。ラック６３は、回転部材６の側面に形成されている。図１では、ラック６３は、回転部材６の−Ｚ軸方向側に形成されている。また、ラック６３は、回転部材６の−Ｙ軸方向側に形成されている。
【００９９】
ラック６３は、回転部材６の回転軸６８を中心とした円弧形状をしている。
【０１００】
ラック６３は、歯車８１とかみ合っている。歯車８１は、駆動源８に取り付けられている。ラック６３は、歯車８１から回転力を受け取り、回転部材６の回転軸６８まわりに回転する。
【０１０１】
回転部材６は、スライド穴６２を有している。スライド穴には、スライドシャフト７が挿入される。
【０１０２】
スライド穴６２は、回転部材６の側面に形成されている。スライド穴６２は、例えば、回転部材６の−Ｘ軸方向側に形成されている。スライド穴６２は、Ｚ軸方向に伸びる穴である。つまり、スライド穴６２は、Ｚ軸に平行な穴である。
【０１０３】
スライドシャフト７は、伝達部材である。スライドシャフト７は、投射レンズ４に接し、ベース部材５に対する回転部材６の回転軸６８まわりの回転に伴い、回転軸４２を中心に投射レンズ４を回転させる。
【０１０４】
スライドシャフト７は、回転部材６に設けられたスライド穴６２に挿入される。回転部材６は、スライドシャフト７を、Ｚ軸方向に並進可能に保持している。また、回転部材６が回転軸６８まわりに回転する場合には、スライドシャフト７も、回転部材６の回転軸６８まわりに回転する。
【０１０５】
スライドシャフト７は、両方の端部に接触子７０，７１を備えている。図１では、スライドシャフト７の両方の先端部に接触子７０，７１が形成されている。
【０１０６】
スライドシャフト７の両方の先端部（接触子７０，７１）は、例えば、半球形状を有している。つまり、スライドシャフト７の＋Ｚ軸方向側の先端部及び−Ｚ軸方向側の先端部は、半球形状となっている。
【０１０７】
スライドシャフト７の一端は、ベース部材５に設けられた傾斜面５１に接している。傾斜面５１に接している一端は、−Ｚ軸方向側の一端である。スライドシャフト７の一端は、傾斜面５１に対する接触子７０としての機能を有する。
【０１０８】
また、スライドシャフト７の他端は、投射レンズ４に設けられた接触面４１に接している。接触面４１に接している他端は、＋Ｚ軸方向側の端部である。スライドシャフト７の他端は、接触面４１に対する接触子７１としての機能を有する。
【０１０９】
駆動源８は、例えば、直流モータである。そのほか、駆動源８は、ステッピングモータ又は超音波モータなどでもよい。駆動源８は、ベース部材５に固定されている。例えば、図１では、駆動源８は、ベース部材５の−Ｙ軸方向側に固定されている。駆動源８の回転軸は、Ｚ軸と平行である。
【０１１０】
駆動源８の回転軸には、歯車８１が取り付けられている。また、上述のように、回転部材６の下側（−Ｙ軸側）にはラック６３が備えられている。歯車８１は、ラック６３にかみ合うように位置している。
【０１１１】
駆動源８の回転軸が＋ＲＺ方向に回転すると、回転部材６は−ＲＺ方向に回転する。同様に、駆動源８の回転軸が−ＲＺ方向に回転すると、回転部材６は＋ＲＺ方向に回転する。
【０１１２】
本実施の形態１では、歯車８１を用いて回転部材６を回転させている。しかし、回転部材６を回転させる方法はこれに限らない。例えば、ウォーム歯車機構又は送りねじ機構を用いて回転部材６の回転を実現することもできる。また、ベルトおよびプーリを用いて回転部材６の回転を実現することもできる。また、リンク機構を用いて回転部材６の回転を実現することもできる。
【０１１３】
＜回転部材６及び投射レンズ４の動作＞
回転部材６及び投射レンズ４の動作について説明する。
【０１１４】
図５から図７は、回転部材６の回転動作及び投射レンズ４の動作を説明するための模式図である。
【０１１５】
図５は、自動二輪車９５が直進して走行する際の前照灯装置１００の模式図である。つまり、図５は、自動二輪車９５が傾斜していないときの状態を示した前照灯装置１００の模式図である。つまり、図５では、回転部材６はベース部材５に対して基準位置に位置している。
【０１１６】
自動二輪車９５が直進して走行するときの前照灯装置１００は、例えば、導光部材３の上面がＺ−Ｘ平面に平行である。また、投射レンズ４の回転ピン４０ａ，４０ｂの回転軸４２はＹ軸に平行である。そして、投射レンズ４は、前方（＋Ｚ軸方向）を向いている。つまり、投射レンズ４の光軸は、Ｚ軸に平行である。
【０１１７】
図６は、自動二輪車９５が左旋回して走行する際の前照灯装置１００の模式図である。つまり、図６は、自動二輪車９５が進行方向に対して左側に傾斜しているときの状態を示した前照灯装置１００の模式図である。
【０１１８】
自動二輪車９５が進行方向（＋Ｚ軸方向）に対して左側に傾斜すると、傾斜角ｄに応じて歯車８１は−ＲＺ方向に回転する。つまり、駆動源８は、歯車８１を−ＲＺ方向に回転させる。歯車８１の回転動作により、ラック６３は歯車８１から回転力を受ける。ラック６３が回転力を受けることにより、回転部材６は＋ＲＺ方向に回転する。
【０１１９】
導光部材３及び投射レンズ４は、それぞれ回転部材６に備えられている。導光部材３は、配光パターン５０１を形成する。投射レンズ４は、入射した光を拡大して投射する。なお、投射レンズ４も、配光パターン５０１を形成することができる。
【０１２０】
回転部材６が＋ＲＺ方向に回転すると、これに応じて配光パターン５０１も＋ＲＺ方向に回転する。実際には、ベース部５は自動二輪車９５に固定されている。このため、ベース部５は、車体の傾斜と同じ方向（バンク方向）に傾く。自動二輪車９５が左旋回して走行する際のバンク方向は、−ＲＺ方向である。
【０１２１】
また、ベース部５は、車体の傾斜角ｄと同じ角度だけ傾く。このベース部５の傾きを補正するように、回転部材６は、車体が傾斜した方向（バンク方向）と反対の方向（＋ＲＺ方向）に回転する。つまり、車体が傾斜した場合でも、回転部材６は、左右方向に傾かない。これにより、配光パターン５０１は、自動二輪車９５が直進して走行する際と同様に、水平を保つことができる。
【０１２２】
運転者は、車体が進行方向に対して左側に傾斜した場合でも、旋回側の遠方（コーナー領域５０３）を前照灯装置１００で照らすことができる。
【０１２３】
図６では、導光部材３及び投射レンズ４は、＋ＲＺ方向に回転している。つまり、導光部材３及び投射レンズ４は、右側に傾いている。しかし、実際には、ベース部材５が左側（−ＲＺ方向）に傾いているため、導光部材３及び投射レンズ４は、水平を保っている。
【０１２４】
さらに、左旋回して走行する際において、回転部材６がベース部材５に対して＋ＲＺ方向に回転すると、スライドシャフト７も回転部材６と同様に回転する。スライドシャフト７は、回転部材６に備えられている。
【０１２５】
スライドシャフト７と傾斜面５１とが常に接した状態を保つように、投射レンズ４と回転部材６との間には、ばねが接続されている（図示せず）。また、このばねにより、スライドシャフト７と接触面４１とが常に接した状態を保てる。
【０１２６】
このばねは、投射レンズ４が−ＲＹ方向に回転するように備えられている。つまり、図１において、ばねにより、投射レンズ４は回転部材６に対して−ＲＹ方向に回転しようとする。そして、スライドシャフト７は投射レンズ４から回転部材６に対して−Ｚ軸方向の力を受ける。このため、スライドシャフト７は傾斜面５１と常に接する状態を保つ。
【０１２７】
このばねは、例えば、＋Ｘ軸方向側に備えられた圧縮ばねである。又は、例えば、−Ｘ軸方向側に備えられた引張ばねである。
【０１２８】
接触子７０は、投射レンズ４にかかるばね力により、傾斜面５１に接している。接触子７１は、投射レンズ４にかかるばね力により、接触面４１に接している。
【０１２９】
傾斜面５１は、Ｚ軸まわりのらせん形状を有している。傾斜面５１は、ベース部材５の＋Ｚ軸側に面した面である。傾斜面５１は、ベース部材５の−Ｘ軸側に形成されている。
【０１３０】
傾斜面５１は、Ｚ軸まわりのらせん形状を有している。傾斜面５１は、＋ＲＺ方向にいく程、＋Ｚ方向に位置している。
【０１３１】
このため、回転部材６が＋ＲＺ方向に回転すると、接触子７０と傾斜面５１との接触位置が＋Ｚ方向に移動する。そして、スライドシャフト７は、＋Ｚ方向へ移動する。そして、接触子７１と接触面４１との接触位置が＋Ｚ方向に移動する。
【０１３２】
投射レンズ４は、スライドシャフト７の＋Ｚ方向への移動により、回転ピン４０ａ，４０ｂを回転軸４２として回転する。投射レンズ４は、左側を向くように回転する。つまり、投射レンズ４は、＋ＲＹ方向に回転する。
【０１３３】
これにより、配光パターン５０１内の「明るい領域」は、コーナー領域５０３に移動する。
【０１３４】
図７は、自動二輪車９５が右旋回して走行する際の前照灯装置１００の模式図である。つまり、図７は、自動二輪車９５が進行方向に対して右側に傾斜しているときの状態を示した前照灯装置１００の模式図である。
【０１３５】
自動二輪車９５が進行方向（＋Ｚ軸方向）に対して右側に傾斜すると、傾斜角ｄに応じて歯車８１は＋ＲＺ方向に回転する。つまり、駆動源８は、歯車８１を＋ＲＺ方向に回転させる。歯車８１の回転動作により、ラック６３は歯車８１から回転力を受ける。ラック６３が回転力を受けることにより、回転部材６は−ＲＺ方向に回転する。
【０１３６】
導光部材３及び投射レンズ４は、それぞれ回転部材６に備えられている。導光部材３は、配光パターン５０１を形成する。投射レンズ４は、入射した光を拡大して投射する。なお、投射レンズ４も、配光パターン５０１を形成することができる。
【０１３７】
回転部材６が−ＲＺ方向に回転すると、これに応じて配光パターン５０１も−ＲＺ方向に回転する。実際には、ベース部５は自動二輪車９５に固定されている。このため、ベース部５は、車体の傾斜と同じ方向（バンク方向）に傾く。自動二輪車９５が右旋回して走行する際のバンク方向は、＋ＲＺ方向である。
【０１３８】
また、ベース部５は、車体の傾斜角ｄと同じ角度だけ傾く。このベース部５の傾きを補正するように、回転部材６は、車体が傾斜した方向（バンク方向）と反対の方向（−ＲＺ方向）に回転する。つまり、車体が傾斜した場合でも、回転部材６は、左右方向に傾かない。これにより、配光パターン５０１は、自動二輪車９５が直進して走行する際と同様に、水平を保つことができる。
【０１３９】
運転者は、車体が進行方向に対して右側に傾斜した場合でも、旋回側の遠方（コーナー領域５０３）を前照灯装置１００で照らすことができる。
【０１４０】
図７では、導光部材３及び投射レンズ４は、−ＲＺ方向に回転している。つまり、導光部材３及び投射レンズ４は、左側に傾いている。しかし、実際には、ベース部材５が右側（＋ＲＺ方向）に傾いているため、導光部材３及び投射レンズ４は、水平を保っている。
【０１４１】
さらに、右旋回して走行する際において、回転部材６がベース部材５に対して−ＲＺ方向に回転すると、スライドシャフト７も回転部材６と同様に回転する。スライドシャフト７は、回転部材６に備えられている。
【０１４２】
上述のように、接触子７０は、投射レンズ４にかかるばね力により、傾斜面５１に接している。接触子７１は、投射レンズ４にかかるばね力により、接触面４１に接している。
【０１４３】
傾斜面５１は、Ｚ軸まわりのらせん形状を有している。傾斜面５１は、−ＲＺ方向にいく程、−Ｚ方向に位置している。
【０１４４】
このため、回転部材６が−ＲＺ方向に回転すると、接触子７０と傾斜面５１との接触位置が−Ｚ方向に移動する。そして、スライドシャフト７は、−Ｚ方向へ移動する。そして、接触子７１と接触面４１との接触位置が−Ｚ方向に移動する。
【０１４５】
投射レンズ４は、スライドシャフト７の−Ｚ方向への移動により、回転ピン４０ａ，４０ｂを回転軸４２として回転する。投射レンズ４は、右側を向くように回転する。つまり、投射レンズ４は、−ＲＹ方向に回転する。
【０１４６】
これにより、配光パターン５０１内の「明るい領域」は、コーナー領域５０３に移動する。
【０１４７】
なお、駆動源８による回転部材６の回転量は、車体の傾斜角ｄとしている。しかし、回転部材６の回転量はこれに限らない。走行状態によっては、車体の傾きに伴う前照灯装置の傾きの調整角を変更してもよい。
【０１４８】
つまり、配光パターン５０１が常に地面と平行となるように調整しなくてもよい場合がある。例えば、傾斜角度ｄよりも大きい角度で回転部材６を回転させるなど、回転角度は任意の角度とすることもできる。これにより、配光パターンを、常に水平ではなく、必要に応じて意図的に傾けることができる。
【０１４９】
例えば、コーナー領域５０３側の配光を高くするように配光パターンを傾斜させることで、運転者が車両の進行方向を確認しやするすることができる。また、左回りのコーナーの場合には、コーナー領域５０３側と反対側の配光を低くするように配光パターンを傾斜させることで、投射光による対向車の幻惑を低減することができる。
【０１５０】
また、回転部材６の回転動作は、連続でなく、不連続であっても構わない。また、回転部材６の回転動作は、車体の傾き量に対して比例せずに、段階的に変化しても構わない。
【０１５１】
回転部材６の回転動作に伴う、投射レンズ４の回転量は、傾斜面５１の形状を変えることで、変更することができる。また、回転部材６の回転動作に伴う、投射レンズ４の回転のタイミングは、傾斜面５１の形状を変えることで、変更することができる。従って、傾斜面５１の形状を変えることで、地面（路面）に対する配光パターン５０１の傾斜を変更することができる。
【０１５２】
前照灯装置１００は、光源１、ベース部材５、配光形成部材３、回転部材６、投射レンズ４及び伝達機構７００を備える。
【０１５３】
配光形成部材３は、実施の形態１では、一例として、導光部材３として説明している。
【０１５４】
伝達機構７００は、実施の形態１では、一例として、スライドシャフト７及び傾斜面５１を含んでいる。
【０１５５】
光源１は、光を出射する。ベース部材５は、光源１を保持する。配光形成部材３は、光を入射して、光の配光パターン５０１を形成する。
【０１５６】
回転部材６は、配光形成部材３を保持し、第１の回転軸６８を中心として回転可能にベース部材５に保持される。
【０１５７】
実施の形態１では、第１の回転軸６８は、導光部材３を透過する光の進行方向と一致している。
【０１５８】
投射レンズ４は、配光パターン５０１が形成された光を入射して、投射光として出射する。投射レンズ４は、第１の回転軸６８に垂直な第２の回転軸４２を中心として回転可能に回転部材６に保持される。
【０１５９】
第２の回転軸４２は、投射光の配光パターン５０１の上下方向に対応する方向に伸びている。
【０１６０】
伝達機構７００は、ベース部材５に対する回転部材６の第１の回転軸６８を中心とした回転量を投射レンズ４に伝える伝達部材７を含む。また、伝達機構７００は、ベース部材５に対する回転部材６の回転に伴い、第２の回転軸４２を中心に投射レンズ４を回転させる。
【０１６１】
伝達部材７は、実施の形態１では、一例として、スライドシャフト７として説明している。
【０１６２】
実施の形態１では、伝達部材７は、一端が投射レンズ４に接している。
【０１６３】
車両に搭載される前照灯装置１００であって、車両が直進して投射光を投射する場合において、路面に垂直な方向を投射光の配光パターンの上下方向としている。
【０１６４】
回転部材６は、ベース部材５の姿勢の傾きにより、投射光の配光パターン５０１の傾く方向と反対の方向に投射光の配光パターン５０１を回転させるように第１の回転軸６８を中心として回転する。投射レンズ４は、投射光の配光パターン５０１の左右方向であって、投射光の配光パターン５０１の傾く方向を向くように回転する。
【０１６５】
伝達機構７００は、カム５１を含んでいる。
【０１６６】
実施の形態１では、カム５１は、傾斜面５１として説明している。
【０１６７】
回転部材６の第１の回転軸６８を中心とした回転により、伝達部材７とカム５１との接続位置が変更されることで、投射レンズ４が第２の回転軸４２を中心として回転する。
【０１６８】
伝達部材７は、回転部材６に保持されて、ベース部材５に形成されたカム５１により、伝達部材７が第１の回転軸６８の方向に移動する。
【０１６９】
伝達部材７は、シャフトである。
【０１７０】
前照灯装置１００は、車両に搭載され、車両の左右方向に傾く方向は、投射光の配光パターン５０１を傾く方向に一致する。
【０１７１】
＜変形例１＞
図８は、前照灯装置１０１の前面分解斜視図である。前照灯装置１０１は、投射レンズ４と回転部材６とを接続しているばねを用いずに構成されている。
【０１７２】
まず、前照灯装置１０１の構成について説明する。
【０１７３】
ベース部材５５は、傾斜面５１を２つ有する点でベース部材５と異なる。ベース部材５５の他の構成は、ベース部材５と同じである。
【０１７４】
ベース部材５５は、板形状の部分５５ａ及び円筒形状の部分５５ｂを備えている。
【０１７５】
板形状の部分５５ａの−Ｚ軸方向の面には、光源１及び放熱器１０が取り付けられている。板形状の部分５５ａは、Ｚ軸方向に開いた穴５４ａを有している。穴５４ａは、板形状の部分５５ａを貫通する穴である。この穴の中には集光レンズ２が収められている。板形状の部分５５ａの＋Ｚ軸方向の面には、円筒形状の部分５５ｂが形成されている。
【０１７６】
円筒形状の部分５５ｂは、中空の筒形状をしている。筒形状の軸は、Ｚ軸に平行である。穴５４ａの＋Ｚ軸方向側の端部は、円筒形状の部分５５ｂの中空部分５４ｂに位置している。円筒形状の部分５５ｂの内側の面には、受け面５０が形成されている。円筒形状の部分５５ｂの中空部分５４ｂには、回転部材６５に保持された導光部材３が収められている。中空部分５４ｂは、受け面５０の内側の空間の部分である。
【０１７７】
ベース部材５５は傾斜面５１ａ及び傾斜面５１ｂを備える。円筒形状の部分５５ｂの＋Ｚ軸方向の面の一部には、傾斜面５１ａ，５１ｂが形成されている。
【０１７８】
傾斜面５１ａは、Ｚ軸まわりのらせん形状を有している。例えば、傾斜面５１ａは、ベース部材５の＋Ｚ軸側に面した面である。傾斜面５１ａは、ベース部材５の−Ｘ軸側に形成されている。傾斜面５１ａは＋ＲＺ方向にいく程、＋Ｚ方向に位置している。傾斜面５１ａは、＋ＲＺまわりに回転しながら＋Ｚ軸方向に位置が移動するらせん形状である。
【０１７９】
傾斜面５１ｂは、Ｚ軸まわりのらせん形状を有している。例えば、傾斜面５１ｂは、ベース部材５の＋Ｚ軸側に面した面である。傾斜面５１ｂは、ベース部材５の＋Ｘ軸側に形成されている。傾斜面５１ｂは−ＲＺ方向にいく程、＋Ｚ方向に位置している。傾斜面５１ｂは、−ＲＺまわりに回転しながら＋Ｚ軸方向に位置が移動するらせん形状である。
【０１８０】
回転部材６５は、２つのスライド穴６２ａ，６２ｂを有する点で回転部材６と異なる。回転部材６５の他の構成は、回転部材６と同じである。
【０１８１】
回転部材６５は、スライド穴６２ａとスライド穴６２ｂとを備えている。スライド穴６２ａ，６２ｂは、回転部材６５の側面に形成されている。スライド穴６２ａ，６２ｂは、回転部材６５の回転軸６８に対して、各々反対側に配置されている。図８では、スライド穴６２ａ，６２ｂは、回転部材６５の回転軸６８に対して対称に配置されている。
【０１８２】
例えば、スライド穴６２ａは、回転部材６５の−Ｘ軸方向側の側面に形成されている。また、スライド穴６２ｂは、回転部材６５の＋Ｘ軸方向側の側面に形成されている。
【０１８３】
スライド穴６２ａ，６２ｂは、Ｚ軸方向に伸びる穴である。つまり、スライド穴６２ａ，６２ｂは、Ｚ軸に平行な穴である。
【０１８４】
スライドシャフト７２ａ，７２ｂの形状は、スライドシャフト７と同じである。前照灯装置１０１は、２本のスライドシャフト７２ａ，７２ｂを有する点で前照灯装置１００と異なる。
【０１８５】
スライドシャフト７２ａ，７２ｂは、伝達部材である。スライドシャフト７２ａ，７２ｂは、投射レンズ４５に接し、ベース部材５５に対する回転部材６５の回転軸６８まわりの回転に伴い、回転軸４２を中心に投射レンズ４５を回転させる。また、スライドシャフト７２ａ，７２ｂ及び傾斜面５１ａ，５１ｂは、伝達機構７１０の一例である。
【０１８６】
スライドシャフト７２ａは、回転部材６５に設けられたスライド穴６２ａに挿入される。スライドシャフト７２ｂは、回転部材６５に設けられたスライド穴６２ｂに挿入される。回転部材６５は、スライドシャフト７２ａ，７２ｂを、それぞれＺ軸方向に並進可能に保持している。また、回転部材６５が回転軸６８まわりに回転する場合には、スライドシャフト７２ａ，７２ｂも、回転部材６５の回転軸６８まわりに回転する。
【０１８７】
スライドシャフト７２ａは、両方の端部に接触子７０ａ，７１ａを備えている。スライドシャフト７２ｂは、両方の端部に接触子７０ｂ，７１ｂを備えている。図８では、スライドシャフト７２ａの両方の先端部に接触子７０ａ，７１ａが形成されている。また、図８では、スライドシャフト７２ｂの両方の先端部に接触子７０ｂ，７１ｂが形成されている。
【０１８８】
スライドシャフト７２ａ，７２ｂの両方の各先端部（接触子７０ａ，７１ａ，７０ｂ，７１ｂ）は、例えば、半球形状を有している。つまり、スライドシャフト７２ａ，７２ｂの＋Ｚ軸方向側の先端部及び−Ｚ軸方向側の先端部は、半球形状となっている。
【０１８９】
スライドシャフト７２ａの一端は、ベース部材５５に設けられた傾斜面５１ａに接している。スライドシャフト７２ａの他端は、投射レンズ４５に設けられた接触面４１ａに接している。
【０１９０】
スライドシャフト７２ｂの一端は、ベース部材５５に設けられた傾斜面５１ｂに接している。スライドシャフト７２ｂの他端は、投射レンズ４５に設けられた接触面４１ｂに接している。
【０１９１】
スライドシャフト７２ａの一端は、傾斜面５１ａに対する接触子７０ａとしての機能を有する。スライドシャフト７２ａの他端は、接触面４１ａに対する接触子７１ａとしての機能を有する。
【０１９２】
スライドシャフト７２ｂの一端は、傾斜面５１ｂに対する接触子７０ｂとしての機能を有する。スライドシャフト７２ｂの他端は、接触面４１ｂに対する接触子７１ｂとしての機能を有する。
【０１９３】
投射レンズ４５は、２つの接触面４１ａ，４１ｂを有する点で投射レンズ４と異なる。投射レンズ４５の他の構成は、投射レンズ４と同じである。
【０１９４】
投射レンズ４５は、２つの接触面４１ａ，４１ｂを有している。
【０１９５】
接触面４１ａは、図８では、投射レンズ４５の−Ｘ軸方向の端部に形成されている。また、接触面４１ａは、投射レンズ４５のＹ軸方向の中央部に形成されている。また、接触面４１ａは、投射レンズ４５の−Ｚ軸方向の面に形成されている。
【０１９６】
接触面４１ａは、−Ｚ軸方向に開いた凹形状をしている。接触面４１ａの凹形状の部分には、スライドシャフト７２ａの＋Ｚ軸方向側の先端部が接するように挿入される。スライドシャフト７２ａの＋Ｚ軸方向側の先端部は、接触子７１ａである。
【０１９７】
接触面４１ｂは、図８では、投射レンズ４５の＋Ｘ軸方向の端部に形成されている。また、接触面４１ｂは、投射レンズ４５のＹ軸方向の中央部に形成されている。また、接触面４１ｂは、投射レンズ４５の−Ｚ軸方向の面に形成されている。
【０１９８】
接触面４１ｂは、−Ｚ軸方向に開いた凹形状をしている。接触面４１ｂの凹形状の部分には、スライドシャフト７２ｂの＋Ｚ軸方向側の先端部が接するように挿入される。スライドシャフト７２ｂの＋Ｚ軸方向側の先端部は、接触子７１ｂである。
【０１９９】
次に、前照灯装置１０１の動作について説明する。
【０２００】
自動二輪車９５が左旋回して走行する際には、回転部材６５は駆動源８からの駆動力を受けて、＋ＲＺ方向に回転する。スライドシャフト７２ａも同様に＋ＲＺ方向に回転する。傾斜面５１ａにより、スライドシャフト７２ａは＋Ｚ軸方向に移動する。投射レンズ４５は、スライドシャフト７２ａの＋Ｚ軸方向への移動により、回転ピン４０ａ，４０ｂを回転軸４２として、左側（＋Ｘ軸方向側）を向くように回転する。つまり、投射レンズ４５は、回転ピン４０ａ，４０ｂを回転軸４２として、＋ＲＹ方向に回転する。
【０２０１】
このとき、投射レンズ４５の回転動作により、スライドシャフト７２ｂは−Ｚ軸方向に押され移動する。傾斜面５１ｂは、スライシャフト７２ｂの−Ｚ軸方向への移動量に合うように、−Ｚ軸方向に傾斜している。つまり、スライシャフト７２ｂの接触している傾斜面５１ｂ上の位置は、回転部材６５の回転に伴い、−Ｚ軸方向に移動する。このため、傾斜面５１ｂは、スライシャフト７２ｂの−Ｚ軸方向への移動を妨げない。
【０２０２】
自動二輪車９５が右旋回して走行する際には、回転部材６５は駆動源８からの駆動力を受けて、−ＲＺ方向に回転する。スライドシャフト７２ｂも同様に−ＲＺ方向に回転する。傾斜面５１ｂにより、スライドシャフト７２ｂは＋Ｚ軸方向に移動する。投射レンズ４５は、スライドシャフト７２ｂの＋Ｚ方向への移動により、回転ピン４０ａ，４０ｂを回転軸４２として、右側（−Ｘ軸方向側）を向くように回転する。つまり、投射レンズ４５は、回転ピン４０ａ，４０ｂを回転軸４２として、−ＲＹ方向に回転する。
【０２０３】
このとき、投射レンズ４５の回転動作により、スライドシャフト７２ａは−Ｚ軸方向に押され移動する。傾斜面５１ａは、スライシャフト７２ａの−Ｚ軸方向への移動量に合うように、−Ｚ軸方向に傾斜している。つまり、スライシャフト７２ａの接触している傾斜面５１ａ上の位置は、回転部材６５の回転に伴い、−Ｚ軸方向に移動する。このため、傾斜面５１ａは、スライシャフト７２ａの−Ｚ軸方向への移動を妨げない。
【０２０４】
伝達機構７１０は、ベース部材５５に対する回転部材６５の第１の回転軸６８を中心とした回転量を投射レンズ４５に伝える伝達部材７２ａ，７２ｂを含む。また、伝達機構７１０は、ベース部材５５に対する回転部材６５の回転に伴い、第２の回転軸４２を中心に投射レンズ４４を回転させる。
【０２０５】
伝達部材７２ａ，７２ｂは、変形例１では、一例として、スライドシャフト７２ａ，７２ｂを含むとして説明している。
【０２０６】
伝達機構７２０は、カム５１ａ，５１ｂを含んでいる。カム５１ａ，５１ｂは、変形例１では、一例として、傾斜面５１ａ，５１ｂとして説明している。
【０２０７】
＜変形例２＞
図９は、前照灯装置１０２の前面分解斜視図である。前照灯装置１０２は、投射レンズ４と回転部材６とを接続しているばねを用いずに構成されている。
【０２０８】
まず、前照灯装置１０２の構成について説明する。
【０２０９】
投射レンズ４は、接触面４１を備えている。接触面４１は、投射レンズ４の−Ｘ軸方向の端部に形成されている。また、接触面４１は、投射レンズ４のＹ軸方向の中央部に形成されている。また、接触面４１は、投射レンズ４の−Ｚ軸方向の面に形成されている。
【０２１０】
ベース部材５６は、傾斜面５１に代わってカム溝５２を有する点でベース部材５と異なる。ベース部材５６の他の構成は、ベース部材５と同じである。
【０２１１】
ベース部材５６は、カム溝５２を備えている。つまり、ベース部材５６は、ベース部材５の傾斜面５１を備えていない。カム溝５２は、ベース部材５６の円筒形状の部分５６ｂの側面に形成されている。
【０２１２】
図９では、例えば、カム溝５２は、円筒形状の部分５６ｂの−Ｘ軸側の側面に形成されている。カム溝５２は、Ｚ軸まわりのらせん形状を有している。カム溝５２は＋ＲＺまわりに＋Ｚ軸方向に進むらせん形状である。つまり、カム溝５２の位置は、円筒形状の部分５６ｂの側面上を＋ＲＺに進むにつれて＋Ｚ軸方向に移動する。カム溝５２は、＋ＲＺまわりに回転しながら＋Ｚ軸方向に位置が移動するらせん形状である。
【０２１３】
回転部材６６は、スライド穴６２に代わり、スライド溝６４及びスライドピン６９を備える点で回転部材６と異なる。回転部材６６の他の構成は、回転部材６と同じである。
【０２１４】
回転部材６６は、スライド溝６４とスライドピン６９とを備える。
【０２１５】
スライド溝６４は、回転部材６６の側面に形成されている。例えば、スライド溝６４は回転部材６６の−Ｘ方向側に形成されている。
【０２１６】
スライドピン６９は、回転部材６６の側面に形成されている。例えば、スライドピン６９は回転部材６６の−Ｘ方向側に形成されている。スライドピン６９は、スライド溝６４と回転部材６６の同じ位置に配置されている。図９では、スライドピン６９はスライド溝６４の−Ｚ軸方向に配置されている。
【０２１７】
スライドシャフト７６は、伝達部材の一例である。また、スライドシャフト７６は、スライド部材の一例である。スライドシャフト７６は、板材で作製することができる。スライドシャフト７６は、投射レンズ４に接続し、ベース部材５６に対する回転部材６６の回転に伴い、回転軸４２を中心に投射レンズ４を回転させる。また、スライドシャフト７６、リンク７５、接続部材７７及びカム溝５２は、伝達機構７２０の一例である。
【０２１８】
スライドシャフト７６は、スライド溝７４を備えている。スライド溝７４は、Ｚ軸方向に伸びる溝である。
【０２１９】
スライドシャフト７６の＋Ｚ軸側の先端部７８にはリンク７５が接続されている。リンク７５は、スライドシャフト７６に対して、Ｙ軸まわりに回転可能に保持されている。
【０２２０】
リンク７５の＋Ｚ軸側の先端部には接続部材７７が接続されている。接続部材７７は、リンク７５に対して、Ｙ軸まわりに回転可能に保持されている。接続部材７７の＋Ｚ側の面は、投射レンズ４に設けられた接触面４１に接続されている。
【０２２１】
なお、接続部材７７は、投射レンズ４に設けられている接触面４１に、直接設けてもよい。例えば、接触面４１上に接続部材７７と同様な形状を備えることで、接続部材７７と接触面４１とを用いることなく、同等の機能を得ることができる。また、接続部材７７が、投射レンズ４に対してＸ軸方向に移動できるように保持されることで、リンク７５を用いることなく、同等の機能を得ることができる。例えば、接続部材７７が、投射レンズ４に対してＸ軸方向に移動できるように接続されている場合等である。
【０２２２】
スライドシャフト７６のもう一端（−Ｚ軸側）には、スライドピン７３が設けられている。スライドピン７３は、スライド溝７４の−Ｚ軸方向側に配置されている。スライドピン７３は、Ｘ軸に平行な軸である。スライドピン７３は、スライドシャフト７６の＋Ｘ軸方向側の面に設けられている。スライドピン７３は、＋Ｘ軸方向に伸びている。
【０２２３】
スライドシャフト７６の＋Ｚ軸側の先端部７８は、スライド溝６４に挿入されている。先端部７８、リンク７５及び接続部材７７は、スライド溝６４に収まるように構成されている。
【０２２４】
スライド溝７４には、スライドピン６９が挿入される。スライドピン６９は、回転部材６６に備えられている。つまり、スライドシャフト７６は回転部材６６に対して、Ｚ軸方向に並進可能に保持されている。スライドシャフト７６は、回転部材６６に対して、Ｚ軸方向に並進可能である。
【０２２５】
スライド溝７４及びスライドピン６９は、スライドシャフト７６のＺ軸方向の並進動作を補助している。また、スライドシャフト７６が回転部材６６に対してＸ軸方向へ移動しないように、回転部材６６とスライドシャフト７６との間に抜け留め（図示せず）が設けられている。
【０２２６】
スライドピン７３は、ベース部材５６に設けられたカム溝５２に挿入されている。スライドピン７３は、カム溝５２の内側の面に接している。つまり、スライドピン７３は、カムフォロアとしての機能を有する。
【０２２７】
上述のように、接続部材７７の＋Ｚ側の面は、投射レンズ４に設けられた接触面４１に接続されている。
【０２２８】
次に、前照灯装置１０２の動作について説明する。
【０２２９】
自動二輪車９５が左旋回して走行する際には、回転部材６６は駆動源８からの駆動力を受けて、＋ＲＺ方向に回転する。スライドシャフト７６も同様に、＋ＲＺ方向に回転する。
【０２３０】
スライドシャフト７６が＋ＲＺ方向に回転すると、スライドピン７３は、カム溝５２に沿って＋Ｚ軸方向に移動する。スライドピン７３の＋Ｚ軸方向に移動により、スライドシャフト７６は＋Ｚ軸方向に移動する。スライドシャフト７６の＋Ｚ軸方向に移動により、スライドシャフト７６の先端部７８は、リンク７５および接続部材７７を介して、投射レンズ４の接触面４１を＋Ｚ軸方向に押し出す。
【０２３１】
投射レンズ４は、回転軸４２を軸として左側（＋Ｘ軸方向側）を向くように回転する。つまり、投射レンズ４は、回転軸４２を軸として＋ＲＹ方向に回転する。回転軸４２は、回転ピン４０ａ，４０ｂによって形成される。
【０２３２】
以上より、投射レンズ４と回転部材６６とを接続しているばねを用いずに、回転軸４２を中心として投射レンズ４を＋ＲＹ方向に回転させることができる。
【０２３３】
同様に、自動二輪車９５が右旋回して走行する際には、回転部材６６は駆動源８からの駆動力を受けて、−ＲＺ方向に回転する。スライドシャフト７６も同様に−ＲＺ方向に回転する。
【０２３４】
スライドシャフト７６が−ＲＺ方向に回転すると、スライドピン７３は、カム溝５２に沿って−Ｚ軸方向に移動する。スライドピン７３の−Ｚ軸方向に移動により、スライドシャフト７６は−Ｚ軸方向に移動する。スライドシャフト７６の−Ｚ軸方向に移動により、スライドシャフト７６の先端部７８は、リンク７５および接続部材７７を介して、投写レンズ４の接触面４１を−Ｚ軸方向に引き戻す。
【０２３５】
投射レンズ４は、回転軸４２を軸として右側（−Ｘ軸方向側）を向くように回転する。つまり、投射レンズ４は、回転軸４２を軸として−ＲＹ方向に回転する。回転軸４２は、回転ピン４０ａ，４０ｂによって形成される。
【０２３６】
以上より、投射レンズ４と回転部材６６とを接続しているばねを用いずに、回転軸４２を中心として投射レンズ４を−ＲＹ方向に回転させることができる。
【０２３７】
伝達機構７２０は、ベース部材５６に対する回転部材６６の第１の回転軸６８を中心とした回転量を投射レンズ４に伝える伝達部材７６を含む。また、伝達機構７００は、ベース部材５６に対する回転部材６６の回転に伴い、第２の回転軸４２を中心に投射レンズ４を回転させる。
【０２３８】
伝達部材７６は、変形例２では、一例として、スライドシャフト７６を含むとして説明している。また、伝達部材７６は、リンク７５又は接続部材７７を含むことができる。
【０２３９】
伝達機構７２０は、カム５２を含んでいる。カム５２は、変形例２では、一例として、カム溝５２として説明している。
【０２４０】
＜変形例３＞
図１０は、前照灯装置１０３の前面分解斜視図である。前照灯装置１０３は、ベース部材５の傾斜面５１、ベース部材５５の傾斜面５１ａ，５１ｂ又はベース部材５６のカム溝５２を用いずに構成されている。図１１は、前照灯装置１０３の背面分解斜視図である。
【０２４１】
まず、前照灯装置１０３の構成について説明する。
【０２４２】
ベース部材５７は、ベース部材５に設けられていた傾斜面５１に代わって、接触ピン５８を有する。ベース部材５７の他の構成は、ベース部材５と同じである。
【０２４３】
また、回転部材６７は、回転部材６に設けられていたスライド穴６２を有さない。回転部材６７の他の構成は、回転部材６と同じである。
【０２４４】
また、投射レンズ４７は、傾斜面４８を有する。また、投射レンズ４７は、接触面４１を有さない。投射レンズ４７の他の構成は、投射レンズ４と同じである。
【０２４５】
ベース部材５７は、接触ピン５８を備えている。つまり、ベース部材５７は傾斜面５１を備えていない。接触ピン５８は、伝達部材の一例である。また、図１０では、接触ピン５８は、シャフトで示されている。また、接触ピン５８及傾斜面４８は、伝達機構７３０の一例である。
【０２４６】
ベース部材５７は、ベース部材５と同様に、板形状の部分５７ａ及び円筒形状の部分５７ｂを有している。
【０２４７】
接触ピン５８は、円筒形状の部分５７ｂの＋Ｚ軸方向側の面に備えられている。図１０では、円筒形状の部分５７ｂの＋Ｚ軸方向側の面はＸ−Ｙ平面に平行な面である。接触ピン５８は、ベース部材５７の−Ｘ軸方向側の端部に形成されている。また、接触ピン５８はベース部材５７のＹ軸方向側の中央部に形成されている。
【０２４８】
接触ピン５８は、Ｚ軸に平行なピンである。接触ピン５８は、ベース部材５７から＋Ｚ軸方向に伸びている。つまり、接触ピン５８は、円筒形状の部分５７ｂの＋Ｚ軸方向側の面から＋Ｚ軸方向に伸びている。
【０２４９】
接触ピン５８の＋Ｚ軸方向側の先端部は、半球形状を有している。接触ピン５８の＋Ｚ軸方向側の先端部は、接触子５８０である。
【０２５０】
投射レンズ４７は、接触面４１の代わりに、傾斜面４８を有する点で、投射レンズ４と異なる。投射レンズ４７の他の構成は投射レンズ４と同じである。
【０２５１】
傾斜面４８は、投射レンズ４７の−Ｚ軸側に面に形成されている。傾斜面４８は、投射レンズ４７の−Ｚ軸側に面した面である。傾斜面４８は、投射レンズ４７の−Ｘ軸側に形成されている。
【０２５２】
傾斜面４８は、Ｚ軸まわりのらせん形状を有している。傾斜面４８は、＋ＲＺ方向にいく程、＋Ｚ軸方向に位置している。傾斜面４８は、＋ＲＺまわりに回転しながら＋Ｚ軸方向に位置が移動するらせん形状である。
【０２５３】
傾斜面４８には、接触ピン５８の＋Ｚ軸方向側の先端部（接触子５８０）が接する。接触ピン５８は、ベース部材５７に備えられている。
【０２５４】
接触ピン５８と傾斜面４８とが常に接した状態を保つように、投射レンズ４７と回転部材６７との間には、ばねが接続されている（図示せず）。このばねは、投射レンズ４７が−ＲＹ方向に回転するように備えられている。このばねは、例えば、＋Ｘ軸方向側に備えられた圧縮ばねである。又は、例えば、−Ｘ軸方向側に備えられた引張ばねである。接触子５８０は、投射レンズ４にかかるばね力により、接触面４１に接している。
【０２５５】
次に、前照灯装置１０３の動作について説明する。
【０２５６】
自動二輪車９５が左旋回して走行する際には、回転部材６７は駆動源８からの駆動力を受けて、＋ＲＺ方向に回転する。投射レンズ４７も同様に＋ＲＺ方向に回転する。
【０２５７】
傾斜面４８はＺ軸方向に高低差を持つ面であるため、投射レンズ４７がＺ軸に平行な回転軸６８を中心に回転すると、接触ピン５８と傾斜面４８との接触位置が、傾斜面４８の高低差の異なる位置に移動する。つまり、接触ピン５８と傾斜面４８との接触位置が、Ｚ軸方向に移動する。回転軸６８は、回転部材６７の回転軸である。
【０２５８】
投射レンズ４７が＋ＲＺ方向に回転すると、接触ピン５８と傾斜面４８との接触位置は、傾斜面４８の高低差の高い位置に移動する。このため、投射レンズ４７の−Ｘ軸方向の部分は、接触ピン５８で＋Ｚ軸方向に押出される。
【０２５９】
そして、投射レンズ４７は、回転軸４２を中心に左側（＋Ｘ軸方向側）を向くように回転する。つまり、回転部材６７が＋ＲＺ方向に回転すると、投射レンズ４７は左側（＋Ｘ軸方向側）を向くように回転する。回転部材６７が＋ＲＺ方向に回転すると、投射レンズ４７は＋ＲＹ方向に回転する。
【０２６０】
自動二輪車９５が右旋回して走行する際には、回転部材６７は駆動源８からの駆動力を受けて、−ＲＺ方向に回転する。投射レンズ４７も同様に−ＲＺ方向に回転する。
【０２６１】
傾斜面４８はＺ軸方向に高低差を持つ面であるため、投射レンズ４７がＺ軸に平行な回転軸を中心に回転すると、接触ピン５８と傾斜面４８との接触位置が、傾斜面４８の高低差の異なる位置に移動する。つまり、接触ピン５８と傾斜面４８との接触位置が、Ｚ軸方向に移動する。回転軸６８は、回転部材６７の回転軸である。
【０２６２】
投射レンズ４７は−ＲＹ方向に回転すると、接触ピン５８と傾斜面４８との接触位置は、傾斜面４８の高低差の低い位置に移動する。このため、投射レンズ４７の−Ｘ軸方向の部分は、接触ピン５８により−Ｚ軸方向に移動する。上述のように、投射レンズ４７は−ＲＹ方向にばね力を受けている。このため、接触ピン５８の接触子５８０と傾斜面４８とは常に接している。
【０２６３】
接触ピン５８と傾斜面４８との接触位置が傾斜面４８の高低差の低い位置への移動することで、投射レンズ４７は、回転軸４２を中心として右側（−Ｘ軸方向側）を向くように回転する。つまり、回転部材６７が−ＲＺ方向に回転すると、投射レンズ４７は右側（−Ｘ軸方向側）を向くように回転する。回転部材６７が−ＲＺ方向に回転すると、投射レンズ４７は−ＲＹ方向に回転する。
【０２６４】
なお、本変形例３で説明した前照灯装置１０３は、投射レンズ４７に傾斜面４８を設けて、投射レンズ４７を回転軸４２まわりに回転させている。投射レンズ４７を回転させる方法として、変形例２で示したようなカムフォロア構造を用いることもできる。つまり、傾斜面４８の代わりに、投射レンズ４７にカム溝を設ける構成である。
【０２６５】
前照灯装置１０３は、光源１、ベース部材５７、配光形成部材３、回転部材６７、投射レンズ４７及び伝達機構７３０を備える。
【０２６６】
配光形成部材３は、実施の形態１では、一例として、導光部材３として説明している。
【０２６７】
伝達機構７３０は、変形例３では、一例として、接触ピン５８及び傾斜面４８を含んでいる。
【０２６８】
光源１は、光を出射する。ベース部材５７は、光源１を保持する。配光形成部材３は、光を入射して、光の配光パターン５０１を形成する。
【０２６９】
回転部材６７は、配光形成部材３を保持し、第１の回転軸６８を中心として回転可能にベース部材５７に保持される。
【０２７０】
投射レンズ４７は、配光パターン５０１が形成された光を入射して、投射光として出射する。投射レンズ４７は、第１の回転軸６８に垂直な第２の回転軸４２を中心として回転可能に回転部材６７に保持される。
【０２７１】
第２の回転軸４２は、投射光の配光パターン５０１の上下方向に対応する方向に伸びている。
【０２７２】
伝達機構７３０は、ベース部材５７に対する回転部材６７の第１の回転軸６８を中心とした回転量を投射レンズ４７に伝える伝達部材５８を含む。また、伝達機構７３０は、ベース部材５７に対する回転部材６７の回転に伴い、第２の回転軸４２を中心に投射レンズ４７を回転させる。
【０２７３】
伝達部材５８は、変形例３では、一例として、接触ピン５８として説明している。
【０２７４】
伝達部材５８は、ベース部材５７に保持されて、カム４８は投射レンズ４７に形成されている。変形例３では、カム４８は、傾斜面４８として説明している。
【０２７５】
伝達部材５８は、シャフトである。
【０２７６】
＜変形例４＞
図１２は、前照灯装置１０４の前面分解斜視図である。前照灯装置１０４は、投射レンズ４７と回転部材６７との間に接続しているばねを用いずに構成されている。
【０２７７】
まず、前照灯装置１０４の構成について説明する。
【０２７８】
ベース部５９は、２つの接触ピン５８ａ，５８ｂを備えている。２つの接触ピン５８ａ，５８ｂを備えている点で、変形例３で説明したベース部５７と異なる。ベース部５９の他の構成は変形例３で説明したベース部５７と同じである。
【０２７９】
また、投射レンズ４９は、２つの傾斜面４８ａ，４８ｂを備えている点で、変形例３で説明した投射レンズ４７と異なる。投射レンズ４９の他の構成は、投射レンズ４７と同じである。
【０２８０】
ベース部材５９は、２つの接触ピン５８ａ，５８ｂを有している。つまり、ベース部材５９は傾斜面５１を備えていない。接触ピン５８ａ，５８ｂは、伝達部材の一例である。また、図１０では、接触ピン５８ａ，５８ｂは、シャフトで示されている。また、接触ピン５８ａ，５８ｂ及傾斜面４８ａ，４８ｂは、伝達機構７４０の一例である。
【０２８１】
ベース部材５９は、ベース部材５と同様に、板形状の部分５９ａ及び円筒形状の部分５９ｂをしている。
【０２８２】
接触ピン５８ａ，４８ｂは、円筒形状の部分５９ｂの＋Ｚ軸方向側の面に備えられている。図１２では、円筒形状の部分５９ｂの＋Ｚ軸方向側の面はＸ−Ｙ平面に平行な面である。
【０２８３】
接触ピン５８ａは、ベース部材５９の−Ｘ軸方向側の端部に形成されている。また、接触ピン５８ａはベース部材５９のＹ軸方向側の中央部に形成されている。
【０２８４】
接触ピン５８ｂは、ベース部材５９の＋Ｘ軸方向側の端部に形成されている。また、接触ピン５８ｂはベース部材５９のＹ軸方向側の中央部に形成されている。
【０２８５】
接触ピン５８ａ，４８ｂは、Ｚ軸に平行なピンである。接触ピン５８ａ，４８ｂは、ベース部材５９から＋Ｚ軸方向に伸びている。つまり、接触ピン５８ａ，４８ｂは、円筒形状の部分５９ｂの＋Ｚ軸方向側の面から＋Ｚ軸方向に伸びている。
【０２８６】
接触ピン５８ａ，４８ｂの＋Ｚ軸方向側の先端部は、半球形状を有している。接触ピン５８ａの＋Ｚ軸方向側の先端部は、接触子５８０ａである。接触ピン５８ｂの＋Ｚ軸方向側の先端部は、接触子５８０ｂである。
【０２８７】
投射レンズ４９は、傾斜面４８ａと傾斜面４８ｂとを有する点で、投射レンズ４７と異なる。投射レンズ４９の他の構成は投射レンズ４７と同じである。
【０２８８】
傾斜面４８ａは、投射レンズ４９の−Ｚ軸側に面に形成されている。傾斜面４８ａは、投射レンズ４９の−Ｚ軸側に面した面である。傾斜面４８ａは、投射レンズ４９の−Ｘ軸側に形成されている。
【０２８９】
傾斜面４８ａは、Ｚ軸まわりのらせん形状を有している。傾斜面４８ａは、＋ＲＺ方向にいく程、＋Ｚ軸方向に位置している。傾斜面４８ａは、＋ＲＺまわりに回転しながら＋Ｚ軸方向に位置が移動するらせん形状である。
【０２９０】
傾斜面４８ａには、ベース部材５９に備えられる接触ピン５８ａの＋Ｚ軸側の先端部（接触子５８０ａ）が接する。
【０２９１】
傾斜面４８ｂは、投射レンズ４９の−Ｚ軸側に面に形成されている。傾斜面４８ｂは、投射レンズ４９の−Ｚ軸側に面した面である。傾斜面４８ｂは、投射レンズ４９の＋Ｘ軸側に形成されている。
【０２９２】
傾斜面４８ｂは、Ｚ軸まわりのらせん形状を有している。傾斜面４８ｂは、−ＲＺ方向にいく程、＋Ｚ軸方向に位置している。傾斜面４８ｂは、−ＲＺまわりに回転しながら＋Ｚ軸方向に位置が移動するらせん形状である。
【０２９３】
傾斜面４８ｂには、ベース部材５９に備えられる接触ピン５８ｂの＋Ｚ軸側の先端部（接触子５８０ｂ）が接する。
【０２９４】
次に、前照灯装置１０４の動作について説明する。
【０２９５】
自動二輪車９５が左旋回して走行する際には、回転部材６７は駆動源８からの駆動力を受けて、＋ＲＺ方向に回転する。投射レンズ４９も同様に＋ＲＺ方向に回転する。
【０２９６】
傾斜面４８ａはＺ軸方向に高低差を持つ面であるため、投射レンズ４９がＺ軸に平行な回転軸６８を中心に回転すると、接触ピン５８ａと傾斜面４８ａとの接触位置が、傾斜面４８の高低差の異なる位置に移動する。つまり、接触ピン５８ａと傾斜面４８ａとの接触位置が、Ｚ軸方向に移動する。回転軸６８は、回転部材６７の回転軸である。
【０２９７】
投射レンズ４９が＋ＲＺ方向に回転すると、接触ピン５８ａと傾斜面４８ａとの接触位置は、傾斜面４８の高低差の高い位置に移動する。このため、投射レンズ４９の−Ｘ軸方向の部分は、接触ピン５８ａで＋Ｚ軸方向に押出される。
【０２９８】
そして、投射レンズ４９は、回転軸４２を中心に左側（＋Ｘ軸方向側）を向くように回転する。つまり、回転部材６７が＋ＲＺ方向に回転すると、投射レンズ４９は左側（＋Ｘ軸方向側）を向くように回転する。回転部材６７が＋ＲＺ方向に回転すると、投射レンズ４９は＋ＲＹ方向に回転する。
【０２９９】
このとき、投射レンズ４９の＋ＲＺ方向の回転動作に伴い、接触ピン５８ｂの接触している傾斜面４８ｂ上の位置は、−Ｚ軸方向に移動する。このため、接触ピン５８ｂは、投射レンズ４９の＋ＲＺ方向の回転動作を妨げない。
【０３００】
自動二輪車９５が右旋回して走行する際には、回転部材６７は駆動源８からの駆動力を受けて、−ＲＺ方向に回転する。投射レンズ４９も同様に−ＲＺ方向に回転する。
【０３０１】
傾斜面４８ｂはＺ軸方向に高低差を持つ面であるため、投射レンズ４９がＺ軸に平行な回転軸６８を中心に回転すると、接触ピン５８ｂと傾斜面４８ｂとの接触位置が、傾斜面４８の高低差の異なる位置に移動する。つまり、接触ピン５８ｂと傾斜面４８ｂとの接触位置が、Ｚ軸方向に移動する。回転軸６８は、回転部材６７の回転軸である。
【０３０２】
投射レンズ４９が−ＲＺ方向に回転すると、接触ピン５８ｂと傾斜面４８ｂとの接触位置は、傾斜面４８の高低差の高い位置に移動する。このため、投射レンズ４９の＋Ｘ軸方向の部分は、接触ピン５８ｂで＋Ｚ軸方向に押出される。
【０３０３】
そして、投射レンズ４９は、回転軸４２を中心に右側（−Ｘ軸方向側）を向くように回転する。つまり、回転部材６７が−ＲＺ方向に回転すると、投射レンズ４９は右側（−Ｘ軸方向側）を向くように回転する。回転部材６７が−ＲＺ方向に回転すると、投射レンズ４９は−ＲＹ方向に回転する。
【０３０４】
このとき、投射レンズ４９の−ＲＺ方向の回転動作に伴い、接触ピン５８ａの接触している傾斜面４８ａ上の位置は、−Ｚ軸方向に移動する。このため、接触ピン５８ａは、投射レンズ４９の−ＲＺ方向の回転動作を妨げない。
【０３０５】
伝達機構７４０は、ベース部材５９に対する回転部材６７の第１の回転軸６８を中心とした回転量を投射レンズ４９に伝える伝達部材５８ａ，５８ｂを含む。また、伝達機構７４０は、ベース部材５９に対する回転部材６７の回転に伴い、第２の回転軸４２を中心に投射レンズ４９を回転させる。
【０３０６】
伝達部材５８ａ，５８ｂは、変形例４では、一例として、接触ピン５８ａ，５８ｂとして説明している。
【０３０７】
伝達部材５８ａ，５８ｂは、ベース部材５９に保持されて、カム４８ａ，４８ｂは投射レンズ４９に形成されている。変形例４では、カム４８ａ，４８ｂは、傾斜面４８ａ，４８ｂとして説明している。
【０３０８】
実施の形態２．
図１３は、前照灯装置１０５の前面分解斜視図である。前照灯装置１０５は前照灯装置１００において、導光部材３に代わって反射部材３１を有する点で構成が異なる。実施の形態１で説明した前照灯装置１００の構成要素と同様の構成要素には、同一符号を付し、その説明を省略する。
【０３０９】
前照灯装置１００と同様の構成要素は、光源１、放熱器１０、集光レンズ２、投射レンズ４、ベース部材５、回転部材６、スライドシャフト７、駆動源８及び歯車８１である。
【０３１０】
反射部材３１は、例えば、Ｚ−Ｘ平面に平行に広がる平板形状である。反射部材３１は光を反射する反射面３１０を備える。反射部材３１は＋Ｙ軸方向の面に反射面３１０を備える。
【０３１１】
反射部材３１は、配光形成部材の一例である。配光形成部材は、光源１から出射された光を、上述の配光パターン５０１に変換する光学部材である。
【０３１２】
集光レンズ２から出射された光は、＋Ｚ軸方向に進行する。
【０３１３】
集光レンズ２から出射された光は、反射部材３１に到達する。反射部材３１に到達した光は、反射部材３１に形成された反射面３１０で反射される。反射面３１０で反射された光は、＋Ｚ軸方向に進行する。
【０３１４】
反射面３１０で反射された光は、投射レンズ４に入射する。
【０３１５】
反射部材３１は、配光パターン５０１を形成する。つまり、反射部材３１は、入射した光を配光パターン５０１の形状に変換する。つまり、反射部材３１は、光源１から発せられた光の配光パターンを形成する配光形成部材である。
【０３１６】
図１３では、反射部材３１の反射面３１０は、＋Ｘ軸方向側の面３１０ａが−Ｘ軸方向側の面３１０ｂよりも＋Ｙ軸方向に位置している。これにより、反射部材３１の反射面３１０で、配光パターン５０１の「立ち上がりライン」を形作っている。
【０３１７】
車両が道路の左側を走行する場合では、車両の進行方向の左側のカットオフラインは高く、右側のカットオフラインは低い。これは、歩行者の識別及び標識の識別を容易にするためである。配光パターン５０１は、「立ち上がりライン」により、歩道側（左側）の照射が立ち上がった形状となっている。なお、カットオフラインは、配光パターン５０１の上側の光の境界線のことである。
【０３１８】
反射部材３１は、回転部材６に固定されている。また、回転部材６が回転軸６８まわりに回転する場合には、反射部材３１も回転部材６の回転軸６８まわりに回転する。実施の形態２では、回転軸６８は、Ｚ軸に平行な軸である。
【０３１９】
なお、反射部材３１は、Ｘ−Ｙ平面に広がる平板形状とし、＋Ｙ軸方向に反射面３１０を有するとしたが、反射部材３１の形状はこれに限らない。
【０３２０】
投射レンズ４は、反射部材３１の＋Ｚ軸方向側に配置されている。投射レンズ４は、入射した光を拡大して投影する。投射レンズ４も、回転部材６に備えられている。
【０３２１】
なお、投射レンズ４も、入射面又は出射面の形状を変更することで、配光パターン５０１を形成することができる。
【０３２２】
また、投射レンズ４は、実施の形態１で説明したように、車体の傾斜に伴って、ベース部材５に対して、Ｚ軸まわりの回転とＹ軸まわりの回転をすることができる。
【０３２３】
また、実施の形態２の反射部材３１を、実施の形態１にて説明した変形例１から４の構成に採用することができる。そして、実施の形態１の変形例１から４と同様の効果を得ることができる。
【０３２４】
配光形成部材３１は、反射部材である。配光形成部材３１は、実施の形態２では、一例として、反射部材３１として説明している。
【０３２５】
＜変形例＞
図１４は、前照灯装置１０６の前面分解斜視図である。前照灯装置１０６は前照灯装置１０５の反射部材３１に代わって遮光部材３２を備える点で構成が異なる。それ以外の点では前照灯装置１０５と同様である。
【０３２６】
遮光部材３２は、例えば、Ｘ−Ｙ平面に平行に広がる平面形状をしている。
【０３２７】
遮光部材３２は、光を通す開口部３２０を有する。集光レンズ２から出射された光の一部は、遮光部材３２の開口部３２０を通る。開口部３２０を通らない光は遮光部材３２により遮られる。
【０３２８】
図１４では、遮光部材３２の開口部３２０の−Ｙ軸方向の辺のうち、＋Ｘ軸方向側の辺３２０ａは、−Ｘ軸方向側の辺３２０ｂよりも＋Ｙ軸方向に位置している。これにより、遮光部材３２の開口部３２０で、配光パターン５０１の「立ち上がりライン」を形作っている。
【０３２９】
遮光部材３２は、入射された光の一部を遮光して、配光パターン５０１を形成する。つまり、反射部材３１は、入射した光を配光パターン５０１の形状に変換する。遮光部材３２は、光源１から発せられた光の配光パターンを形成する配光形成部材である。つまり、遮光部材３２は、配光形成部材の一例である。
【０３３０】
遮光部材３２は、回転部材６に固定されている。また、回転部材６が回転軸６８まわりに回転する場合には、遮光部材３２も回転部材６の回転軸６８まわりに回転する。
【０３３１】
遮光部材３２は、Ｘ−Ｙ平面に広がる平面形状としが、遮光部材３２の形状はこれに限らない。
【０３３２】
配光形成部材３２は、遮光部材である。配光形成部材３２は、変形例では、一例として、遮光部材３２として説明している。
【０３３３】
なお、実施の形態２の変形例の遮光部材３２を、実施の形態１にて説明した変形例１から４の構成に採用することができる。そして、実施の形態１の変形例１から４と同様の効果を得ることができる。
【０３３４】
上述した各実施の形態にかかる前照灯装置を備える車両は、自動二輪車に限るものではない。例えば、自動三輪車に採用することができる。例えば、ジャイロと呼ばれる自動三輪車である。「ジャイロと呼ばれる自動三輪車」とは、前輪が一輪で、後輪が一軸二輪の三輪でできたスクーターである。日本では原動機付自転車に該当する。車体中央付近に回転軸を持ち、前輪や運転席を含む車体のほとんどを左右方向に傾けることができる。この機構によって、自動二輪車と同様に旋回の際に内側へ重心を移動することができる。
【０３３５】
また、上述した各実施の形態にかかる前照灯装置を備える車両は、四輪の自動車にも採用することができる。四輪の自動車の場合には、例えば、コーナーを左方向に曲がる際には、車体は右方向に傾く。また、コーナーを右方向に曲がる際には、車体は左方向に傾く。これは、遠心力によるものである。この点で、二輪車とバンク方向が逆になる。しかし、四輪の自動車も、車体のバンク角を検出して、配光パターン５０１を修正することができる。また、本発明に係る前照灯装置を備えることで、四輪の自動車は、片輪側だけが障害物などに乗り上げるなどして車体が傾いた場合に、車体の傾きがないときと同じ配光パターン５０１を得ることが可能である。
【０３３６】
また、上述した各実施の形態にかかる前照灯装置を備える車両は、船舶等にも採用することもできる。船舶の中には、進路を変更する際に、船体が左右方向に傾斜するものがある。このような場合でも、本発明に係る前照灯装置は有効である。
【０３３７】
なお、上述の各実施の形態においては、「平行」や「垂直」などの部品間の位置関係もしくは部品の形状を示す用語を用いている場合がある。これらは、製造上の公差や組立て上のばらつきなどを考慮した範囲を含むことを表している。このため、請求の範囲に部品間の位置関係もしくは部品の形状を示す記載をした場合には、製造上の公差又は組立て上のばらつき等を考慮した範囲を含むことを示している。
【０３３８】
なお、以上のように本発明の実施の形態について説明したが、本発明はこれらの実施の形態に限るものではない。
【符号の説明】
【０３３９】
１００  前照灯装置、  １  光源、  １０  放熱器、  ２  集光レンズ、  ２１  屈折部、  ２２  反射部、  ３  導光部材、  ３１  反射部材、  ３１０  反射面、  ３１０ａ，３１０ｂ  面、  ３２  遮光部材、  ３２０  開口部、  ３２０ａ，３２０ｂ  辺、  ４，４５，４７，４９  投射レンズ、  ４０ａ，４０ｂ  回転ピン、  ４１，４１ａ，４１ｂ  接触面、  ４２  回転軸、  ４８，４８ａ，４８ｂ  傾斜面、  ５，５５，５６，５７，５９  ベース部材、  ５ａ，５５ａ，５６ａ，５７ａ，５９ａ  板形状の部分、  ５ｂ，５５ｂ，５６ｂ，５７ｂ，５９ｂ  円筒形状の部分、  ５０  受け面、  ５１，５１ａ，５１ｂ  傾斜面、  ５２  カム溝、  ５４ａ  穴、  ５４ｂ  中空部分、  ５８０  接触子、  ６，６５，６６，６７  回転部材、  ６０ａ，６０ｂ  回転穴、  ６１  回転面、  ６２，６２ａ，６２ｂ  スライド穴、  ６４  スライド溝、  ６８  回転軸、  ６９  スライドピン、  ７，７２ａ，７２ｂ，７６  スライドシャフト、  ７３  スライドピン、  ７４  スライド溝、  ７０，７０ａ，７０ｂ，７１，７１ａ，７１ｂ  接触子、  ７５  リンク、  ７７  接続部材、  ７８  先端部、  ８  駆動源、  ８１  歯車、  ９５  自動二輪車、  ９６  車輪、  ９６ａ  地面に接する位置、  ５００  道路、  ５０１  配光パターン、  ５０２  センターライン、  ５０３  コーナー領域、  ５０４  道路の端、  ｄ  傾斜角（バンク角）。
【図１】
2015115319.tif 000003
【図２】
2015115319.tif 000004
【図３】
2015115319.tif 000005
【図４】
2015115319.tif 000006
【図５】
2015115319.tif 000007
【図６】
2015115319.tif 000008
【図７】
2015115319.tif 000009
【図８】
2015115319.tif 000010
【図９】
2015115319.tif 000011
【図１０】
2015115319.tif 000012
【図１１】
2015115319.tif 000013
【図１２】
2015115319.tif 000014
【図１３】
2015115319.tif 000015
【図１４】
2015115319.tif 000016
【図１５】
2015115319.tif 000017
【図１６】
2015115319.tif 000018
【図１７】
2015115319.tif 000019
【図１８】
2015115319.tif 000020
【図１９】
2015115319.tif 000021
【国際調査報告】
2015115319.tif 000022
2015115319.tif 000023